(57)【要約】【課題】技術レベルが低い作業者やお客様でも、センサネットのノード設置やノード設置場所の変更を行えるようにし、そして、ノードのセンサ機能以外の消費電力を抑えることができるシステムを提供する。【解決手段】アドホック型のネットワークを構築するためのノードシステムであって、電界強度の検出部と点灯可能な表示部１７を有し、自己又は他のノード１０が測定したデータを近くのノード１０と送受信する複数のノード１０と、１以上のノードが測定したデータを受信し保存する管理サーバ２０と、を備え、ノード１０は電界強度を調査可能な設置モードと、表示部１７を点灯させない通常使用モードとの切り替えが可能。ノード１０を通常使用モードから設置モードに切り替えた場合に、表示部１７を電界強度のレベルに応じた色や明滅パターンで点灯させる。【選択図】図１
2008028514.tif 000002
【特許請求の範囲】
【請求項１】
アドホック型のネットワークを構築するためのノードシステムであって、
電界強度の検出部と点灯可能な表示部を有し、自己又は他のノードが測定したデータを周囲のノードと送受信する複数のノードと、１以上のノードが測定したデータを受信し保存する管理サーバと、を備え、前記ノードは、前記電界強度を調査可能な設置モード、及び前記表示部を点灯させない通常使用モードでの動作が可能であることを特徴とするノードシステム。
【請求項２】
請求項１に記載のノードシステムにおいて、
前記ノードは、通常使用モードから設置モードに変更した場合に、前記表示部を前記電界強度のレベルに応じた色又は明滅パターンで点灯させることを特徴とするノードシステム。
【請求項３】
請求項１又は２に記載のノードシステムにおいて、
前記設置モードの一つのパターンとして、作業者が設置場所を検討して移設しようとしている移設ノードからの信号を受け取る既設のノードの表示部のみを点灯させる影響特定モードを有することを特徴とするノードシステム。
【請求項４】
請求項３に記載のノードシステムにおいて、
前記ノードを設置後に、設置モードから通常使用モードに切り替える際に、設置時の各ノードの前記電界強度から閾値を決定し、前記ノードもしくは前記管理サーバに記録し、使用中に前記ノードの電界強度が前記閾値よりも一定期間継続して下回った場合には、前記ノードの設置場所や環境に変化があったと判断して、その前記ノードもしくは周囲のノードを点灯させることを特徴とするノードシステム。
【請求項５】
請求項４に記載のノードシステムにおいて、
前記ノードの表示部の点灯は、前記閾値による自動点灯以外に、前記管理サーバから特定のノードを指定して点灯させることで、現場の作業者に前記ノードの交換の指示が行えることを特徴とするノードシステム。
【請求項６】
請求項５に記載のノードシステムにおいて、
前記電界強度を示す際に、前記電界強度レベルに応じて特定の音を出すことを特徴とするノードシステム。
【発明の詳細な説明】
【技術分野】
【０００１】
本発明は、ノードシステムに関し、特にノードには電界強度に応じて表示部を点灯させる機能を持たせて表示部の点灯状況を見ることで容易に電界強度を考慮したアドホック型のセンサネットを構築できるようにし、そして、ノードでは、電界強度を調査可能な設置モードと、表示部を点灯させない通常使用モードの切り替えができるようにして、設置時のみ表示部を点灯させることでノードの消費電力を抑えるノードシステムに関する。
【背景技術】
【０００２】
多数のノード（温度・湿度などを計測する各種センサなど）から構成されるセンサネットを構築する際には、各ノードが通信可能かどうかを予め知っておくために、ノード設置前に電界強度を測定して設置しようとするノード（移設ノード）の設置場所を決定する必要がある。また、ノードを設定した後も、屋内ではレイアウトの変更や電子機器の設置などにより、屋外では周囲の自然環境の変化などにより、それぞれノードの設置場所やノードの電界強度が変化する可能性がある。
【０００３】
従来、端末がどの無線ネットワークに属しているかを、端末に備えたＬＥＤ（発光ダイオード）の点灯で表すシステムが提案されており（特許文献１を参照）、また、受信信号の電界強度を容易に確認することが出来るようにするために、受信信号の電界強度に応じた色を液晶パネルに表示する無線通信装置が提案されている（特許文献２）。
【特許文献１】特開２００３−１３４１３１号公報
【特許文献２】特開２００２−３５３８２６号公報
【発明の開示】
【発明が解決しようとする課題】
【０００４】
しかし、センサネット構築時やノードの設置場所変更時に、ノード毎に設置場所の電界強度を測定してノードの配置を検討する必要があるため、センサネット構築にコストや工数がかかる。特に、アドホック型のネットワークを構築する場合には、ノードがセンサとしてだけでなく中継器としても働くため、一つのノードの設置場所を変更することで、他のノードの通信状況も影響を受けて変化するので、通信技術やネットワークの知識が無い人では、設置が困難である。また、各ノードは有線による配線を無くす目的で、各ノードの電源としてはバッテリーに頼っている場合が多く、消費電力を抑える必要がある。
【０００５】
このように、高い技術を持たない作業者あるいはお客様が、通信状況を考慮したアドホック型のネットワークを構築して維持することができず、しかも各ノードのセンサ機能以外の消費電力を抑えることができなかった。
【０００６】
そこで、本発明は、技術レベルが低い作業者やお客様でも、センサネットのノード設置やノード設置場所の変更を容易に行えるようにして、ノードのセンサ機能以外の消費電力を抑えることができるノードシステムを提供することを目的とする。
【課題を解決するための手段】
【０００７】
本発明は、アドホック型のネットワークを構築するためのノードシステムであって、電界強度の検出部と点灯可能な表示部を有し、自己又は他のノードが測定したデータを周囲のノードと送受信する複数のノードと、１以上のノードが測定したデータを受信し保存する管理サーバと、を備え、前記ノードは、前記電界強度を調査可能な設置モード、及び前記表示部を点灯させない通常使用モードでの動作が可能であるノードシステムである。
【０００８】
また、本発明は、前記ノードは、通常使用モードから設置モードに変更した場合に、前記表示部を前記電界強度のレベルに応じた色又は明滅パターンで点灯させるノードシステムである。
【０００９】
そして、本発明は、前記設置モードの一つのパターンとして、作業者が設置場所を検討して移設しようとしている移設ノードからの信号を受け取る既設のノードの表示部のみを点灯させる影響特定モードを備えるノードシステムである。
【００１０】
更に、本発明は、前記ノードを設置後に、設置モードから通常使用モードに切り替える際に、設置時の各ノードの前記電界強度から閾値を決定し、前記ノードもしくは前記管理サーバに記録し、使用中に前記ノードの電界強度が前記閾値よりも一定期間継続して下回った場合には、前記ノードの設置場所や環境に変化があったと判断して、その前記ノードもしくは周囲のノードを点灯させるノードシステムである。
【００１１】
また、本発明は、前記ノードの表示部の点灯は、前記閾値による自動点灯以外に、前記管理サーバから特定のノードを指定して点灯させることで、現場の作業者に前記ノードの交換の指示が行えるノードシステムである。
【００１２】
そして、本発明は、前記電界強度を示す際に、前記電界強度レベルに応じて特定の音を出すノードシステムである。
【発明の効果】
【００１３】
本発明によれば、設置するノードの電界強度を目視で直感的に把握することができるので、技術レベルが低い作業者やお客様でもノードの設置が可能になる。また、影響特定モードにより、あるノードを動かすことで、どのノードに影響が出るかを把握しやすくなる。表示部を点灯させる設置モードと、表示部を点灯させない通常使用モードを切り替え可能にすることで、通常使用時のノードの消費電力を抑えることが出来る。
【発明を実施するための最良の形態】
【００１４】
本発明を実施するための最良の形態を説明する。
本発明のノードシステムの実施例について、図面を用いて説明する。
【００１５】
実施例を説明する。図１は、本実施例のノードシステムの構成例を示している。図１のノードシステムは、複数のノード１０と、ゲートウェイ１５および管理サーバ２０を備える。各ノード１０は、温度・湿度などを計測する各種センサなどであり、複数のノード１０は、アドホック型のセンサネットワークを構築している。ゲートウェイ１５と管理サーバ２０は、インターネットのような公衆網１８により接続されている。
【００１６】
各ノード１０のモード（設置モード又は通常使用モード）は、管理サーバ２０で稼動する管理ポータルから設定する。管理ポータルは、例えば公衆網１８を経由して、作業者１９が作業現場からでも操作できる。各ノード１０は、センサとしてだけでなく中継器としても働くように無線通信機能を発揮する通信部を有している。しかも、各ノード１０は、ＬＥＤのような表示部１７と、受信したデータを記憶するための記憶部と、影響特定ボタンを有している。
【００１７】
各ノード１０を設置する際の設置モード時では、電界強度を調査可能であり、電界強度のレベル（良、普通、悪）に応じて、あらかじめ設定していた色（緑、黄、赤にそれぞれ対応）で表示部１７を点灯させる。また、各ノード１０の直近の電界強度ログから電界強度レベル基準値を算出して、電界強度レベル基準値は管理サーバ２０側に記録する。各ノード１０が通常使用モードである場合には、表示部１７を点灯させない。
【００１８】
また、各ノード１０の影響特定モード時は、移動させるノード（移設ノード）１０上にある影響特定ボタンを押すことで、ある移設ノード１０からその他の既設ノード１０（既設ノード）に対して特定モードに切り替わったことを通知することができる。その後、移設ノード１０からは影響特定モード実効命令を既設ノード１０に向けて送信する。直接その信号を受けた既設ノード１０は、移設ノード１０により影響を受けると判断して、既設ノード１０の表示部１７が電界強度レベルに応じた色を点灯させる。
【００１９】
それ以外の他の既設ノード１０を経由して信号を受け取った既設ノード１０については、直接影響を受けないノード１０と判断して、表示部１７の点灯を停止する。
【００２０】
なお、通常使用モード時に影響特定ボタンを押した場合には、ノード１０の表示部１７が、操作ミスであることを、赤色と緑色を一定期間点滅させることで、作業者あるいはお客様に対して通知する。
【００２１】
次に、図２は、初期設定の例を示している。管理サーバ２０の管理ポータルを用いて、管理サーバ２０の初期設定とノード１０の初期設定を行う。管理サーバ２０から各ノード１０に対して、設定したノード１０の初期設定値を配信する。
【００２２】
まず、管理サーバ２０の管理ポータルを用いて、管理サーバ２０の初期設定とノード１０の初期設定の指示を行う際には、図２（ａ）のステップＳ１０１〜Ｓ１０３を行う。まず、ステップＳ１０１で、管理サーバ２０で稼働する管理ポータルから電界強度判定時間の設定と、ノード１０のモード（設置モード／通常使用モード）設定を実行する。そして、ステップＳ１０２で、管理サーバ２０は、電界強度判定時間と現在のモードＩＤ（識別符号）を記録する（図４（ａ）参照）。そして、ステップＳ１０３で、各ノード１０に選択したモードを示すモードＩＤと電界強度レベル設定表（図５（ｂ）参照）と、ノード設定初期値（図３参照）と、点灯設定表（図５（ｃ）参照）を送信し、終了となる。
【００２３】
次に、設定したノード１０の初期設定をする場合には、図２（ｂ）のステップＳ１１１〜Ｓ１１２を行う。ステップＳ１１１で、管理サーバ２０からモードＩＤと電界強度レベル設定表（図５（ｂ）参照）と、ノード設定初期値（図３参照）と、点灯設定表（図５（ｃ）参照）を受信する。そして、ステップＳ１１２で、受信したデータをノード１０の記憶部に設定し、終了となる。
【００２４】
図３は、ノード設定初期値の例を示している。ノード設定初期値は、予め管理サーバ２０で作成しておく。ノード設定初期値の項目は、電界強度測定間隔、モードＩＤ、警告フラグ、影響特定フラグ、操作ミスフラグを有している。
【００２５】
電界強度測定間隔は例えば１０秒であり、モードＩＤは、１．通常使用モードと、２．設置モードを有しており、初期値としては設置モードに設定されている。警告フラグは、電界強度レベルが基準値を下回った時にオンするが、初期値としてはオフである。影響特定フラグは、移設ノード１０に影響を与えない時にオンするが、初期値としてはオフである。操作ミスフラグは、通常使用モード時に影響特定ボタンを押し下げたらオンするが、初期値としてはオフである。
【００２６】
図４は、管理サーバ２０に保存されるデータ例を示している。図４（ａ）は管理サーバ設定値を示し、図４（ｂ）は電界強度レベル設定表を示している。図４（ｃ）は電界強度ログを示し、図４（ｄ）はノード一覧表を示している。図４（ｅ）は警告ノードリストを示し、図４（ｆ）は電界強度レベル基準表を示し、そして図４（ｇ）はノード１０の表示部１７の点灯設定表を示している。
【００２７】
図４（ａ）の管理サーバ設定値では、モードは設置モードであり、モードＩＤは２（設置モード）で、電界強度判定時間は１分間である。図４（ｂ）の電界強度レベル設定表では、レベルＩＤ１は電界強度レベル：悪、レベルＩＤ２は電界強度レベル：普通、レベルＩＤ３は電界強度レベル：良を意味する。このデータは管理サーバ２０から各ノード１０に配布されて、電界強度レベルの判定に利用される。
【００２８】
図４（ｃ）のノード別に設定される電界強度ログでは、時刻別の電界強度が示されており、電界強度判定時間が１分間の時に、電界強度の平均値算出に利用する値（例えば平均値：１２）を示している。
【００２９】
図４（ｄ）のノード一覧表では、設置するノード１０のノードＩＤを管理サーバ２０に予め登録しておく。図４（ｅ）の警告ノードリストでは、設置時の電界強度より、現在の電界強度が低いノード１０の一覧を示しており、通常使用モード時に適宜更新される。
【００３０】
図４（ｆ）の電界強度レベル基準表では、電界強度レベル基準値１は電界強度レベル：悪、電界強度レベル基準値２は電界強度レベル：普通、電界強度レベル基準値３は電界強度レベル：良、となっており、図４（ｆ）の電界強度レベル基準表は、図４（ｂ）の電界強度レベル設定表で決定されるレベルＩＤと比較することが可能である。
【００３１】
電界強度レベル基準表には各ノード設定時の電界強度が記録されており、設置モード時には、適宜更新される。電界強度レベル基準表は、通常使用モード時では、設置モード時よりも電界強度が下回っていないことの確認に利用される。図４（ｇ）のノードの表示部の点灯設定表は、図５に詳しく示している。
【００３２】
図５は、ノード１０の記憶部に保存されるデータ例を示している。図５（ａ）はノードの設定値を示しており、図３と比較すると、モードＩＤがモード１であることが異なる。図５（ｂ）は電界強度レベル設定表を示しており、図４（ｂ）の電界強度レベル設定表の内容と同じである。
【００３３】
図５（ｃ）は点灯設定表を示しており、各ノードで計測する電界強度レベル（レベルＩＤ）と現在のノード、各ノードのフラグ状況から、各ノード１０の表示部１７の点灯パターンを指示する。点灯パターンとしては、緑、黄色、赤、点灯しない、赤と黄色の点滅、赤と緑の点滅などがある。
【００３４】
図６は、管理サーバ２０のモード変更の手順を示している。図６は、ステップＳ２０１〜Ｓ２０３を有する。ステップＳ２０１で、管理サーバ２０で稼働する管理ポータルからノード１０のモード（通常使用モード／設置モード）を選択し、適用を実行する。そして、ステップＳ２０２で、管理サーバ２０に現在のモードＩＤを記録し（図４参照）、各ノード１０に選択したモードＩＤを送信する。
【００３５】
図７は、管理サーバ２０の動作（通常使用モード／設置モード）の手順を示している。図７は、ステップＳ３０１〜Ｓ３４４を有する。ステップＳ３０１で、各ノードから電界強度を受信し、管理サーバ２０に対して各ノード毎に電界強度ログ（図４（ｃ）参照）として記録する。時刻としては、管理サーバ２０側で計時した時刻を付加する。そして、ステップＳ３０２で、管理サーバ２０の現在のモードＩＤからモード判定をし、通常使用モードの場合にはステップＳ３１１に移り、設置モードの場合にはステップＳ３４１に移る。
【００３６】
ステップＳ３１１で、図４（ｄ）のノード一覧表に記載されたノード１０について、先頭から一つずつ、以下の処理（ステップＳ３２３又はＳ３３２まで）を実施する。まず、ステップＳ３１２で、電界強度判定時間分の直近の電界強度ログ（図４（ｃ）参照）から電界強度の平均値を算出する。そして、ステップＳ３１３で、電界強度レベル設定表（図４（ｂ）参照）と電界強度の平均値（図４（ｃ）参照）から現在の電界強度レベルを決定する。そして、ステップＳ３１４で、現在の電界強度レベルと電界強度レベル基準表（図４（ｆ）参照）を比較する。比較した結果、ステップＳ３１５で現在の電界強度レベルが基準値以上である場合には、ステップＳ３２１において警告ノードリスト（図４（ｅ）参照）にノードＩＤがあるかどうかを判断し、ある場合にはステップＳ３２２において警告ノードリストから該当するノードＩＤを削除し、ステップＳ３２３では該当するノード１０に警告解除命令を送信し、ステップＳ３１１に戻って次のノードに対する処理を実施する。ステップＳ３２１において、警告ノードリスト（図４（ｅ）参照）にノードＩＤが無い場合にはステップＳ３１１に戻って次のノードに対する処理を実施する。
【００３７】
一方、ステップＳ３１５において、現在の電界強度レベルが基準値未満である場合には、ステップＳ３３１において警告ノードリスト（図４（ｅ）参照）にノードＩＤを登録して、ステップＳ３３２では該当するノード１０に警告指示命令を送信し、ステップＳ３１１に戻って次のノードに対する処理を実施する。
【００３８】
ステップＳ３０２で、現在のモードが設置モードである場合には、ステップＳ３４１でノード一覧表（図４（ｄ）参照）に記載されたノード１０について、先頭から一つずつ、以下の処理（ステップＳ３４４まで）を実施する。まず、ステップＳ３４２では、電界強度判定時間分の直近の電界強度ログ（図４（ｃ）参照）から電界強度の平均値を算出する。そして、ステップＳ３４３で、電界強度レベル設定表（図４（ｂ）参照）と電界強度の平均値（図４（ｃ）参照）から、現在の電界強度レベルを決定する。ステップＳ３４４で、現在の電界強度レベルを基準値として電界強度レベル基準表（図４（ｆ）参照）に記録する。
【００３９】
図８は、ノード１０の動作（通常使用モード／設置モード）の手順を示している。図８は、ステップＳ４０１〜Ｓ４８１を有する。まず、ステップＳ４０１では、ノード１０は電界強度測定間隔（図５（ａ）参照）に設定された間隔毎に電界強度を測定し、ステップＳ４０２で、ノード１０は管理サーバ２０へ電界強度を通知する。ステップＳ４０３で、現在のモードがモード情報記録部からモード判定し、通常使用モードである場合にはステップ４１１に移り、設置モードである場合にはステップＳ４５１に移る。
【００４０】
通常使用モードである場合には、ステップ４１１で、管理サーバ２０から警告指示命令を受信した場合にはステップＳ４２１に移り、受信していない場合にはステップＳ４３１に移る。
【００４１】
ステップＳ４２１で、ノード１０の警告フラグ（図５（ａ）参照）をオンに設定し、ステップＳ４２２で、点灯設定表（図５（ｃ）参照）を参照し、警告として表示部１７を赤色と黄色で点滅させて、ステップＳ４０１に戻る。
【００４２】
ステップＳ４３１で、ノード１０は管理サーバ２０から警告解除命令を受信したかどうかを判断し、受信している場合にはステップＳ４４１において警告フラグ（図５（ａ）参照）をオフに設定し、ステップＳ４４２で、点灯設定表（図５（ｃ）参照）を参照し、ノード１０の表示部１７の点灯を停止し、ステップＳ４０１に戻る。
【００４３】
ステップＳ４０３で設置モードである場合には、ステップＳ４５１で、測定した電界強度と電界強度レベル設定表（図５（ｂ）参照）を比較し、電界強度レベルを判定する。ステップＳ４５２で、電界強度レベルと点灯設定表（図５（ｃ）参照）を比較し、結果が「良」であるとステップＳ４６１において表示部１７を緑色に点灯し、ステップＳ４０１に戻る。結果が「普通」であると、ステップＳ４７１において表示部１７を黄色に点灯し、ステップＳ４０１に戻る。結果が「悪」であると、ステップＳ４８１において表示部１７を赤色に点灯し、ステップＳ４０１に戻る。
【００４４】
図９は、影響特定モード時の移設ノード１０の動作の手順を示しており、ステップＳ５０１〜ステップＳ５２５を有している。ステップＳ５０１で、図１の移設ノード１０上にある影響特定ボタンを押し下げ、ステップＳ５０２で移設ノード１０の記憶部を参照してモードを判定する。判定の結果、設置モードであればステップＳ５１１に移り、通常使用モードであればステップＳ５２１に移る。
【００４５】
ステップＳ５１１で、移設ノード１０は影響特定モード実行命令を既設ノード１０に送信し、ステップＳ５１２で待機する。ステップＳ５１３で、影響特定ボタンが押し下げられていない場合にはステップＳ５０２に戻り、押し下げられている場合にはステップＳ５１４に移って影響特定モード解除命令を既設ノード１０に送信して終了する。
【００４６】
ステップＳ５０２の判定の結果、通常使用モードであれば、ステップ５２１で、移設ノード１０の操作ミスフラグ（図５（ａ）参照）をオンし、ステップＳ５２２で移設ノード１０の点灯設定表（図５（ｃ）参照）を参照し、設置モードへの変更を促すためにノード１０の表示部１７を赤色と緑色で点滅させ、ステップＳ５２３で待機する。
【００４７】
ステップＳ５２４で、移設ノード１０の操作ミスフラグ（図５（ａ）参照）をオフにし、ステップＳ５２５で移設ノード１０の点灯設定表（図５（ｃ）参照）を参照し、表示部１７の点灯を中止して終了する。
【００４８】
図１０は、影響特定モード時の既設ノードの動作（影響特定モード実行時）の手順を示しており、ステップＳ６０１〜ステップＳ６１２を有している。ステップＳ６０１で、既設ノード１０は、移設ノード１０から影響特定モード実行命令を受信し、ステップＳ６０２で送信元ノードＩＤと前ノードＩＤが同じであるかを判断し、同じである場合には終了する。同じでなく移設ノード１０の影響を受けない場合には、ステップＳ６１１において、移設ノード１０の影響特定フラグ（図５（ａ）参照）をオンにする。ステップＳ６１２で、点灯設定表（図５（ｃ）参照）を参照し、表示部１７の点灯を停止して終了する。
【００４９】
図１１は、影響特定モード時の既設ノードの動作（影響特定モード解除時）の手順を示しており、ステップＳ７０１〜ステップＳ７０３を有している。ステップＳ７０１で、移設ノード１０から影響特定モード実行命令を受信し、ステップＳ７０２で移設ノード１０の影響特定フラグ（図５（ａ）参照）をオフする。ステップＳ７０３で、点灯設定表（図５（ｃ）参照）を参照し、表示部１７を点灯させて終了する。
【００５０】
図１２は、影響特定モードの実行命令パケットの例を示しており、移設ノードＩＤ：１、中継ノードＩＤ：３、そして送信先ノードＩＤ：５の場合である。図１２（ａ）では、他のノード１０を経由せずに、移設ノード１０から直接影響特定モードの実行命令パケットを受け取った場合（移設ノード１０の影響を受ける）を示しており、図１２（ｂ）では、他のノード１０を経由して、移設ノード１０から影響特定モードの実行命令パケットを受け取った場合（移設ノード１０の影響を受けない）を示している。
【００５１】
以上説明したように、本発明の実施例では、通常使用モード時は、各ノード１０の表示部１７の点灯を停止する。電界強度が初期設置時から低下していないか監視するために、設置モードで記録された電界強度レベル基準値と現在の電界強度レベルを比較する。
【００５２】
現在の電界強度レベルが電界強度レベル基準値を下回った場合は、環境の変化により電界強度が低下したと判断して、警告として表示部１７を赤色と黄色で点滅させ、作業者やお客様のような利用者等の周囲の人に対して知らせる。警告を受けたノード１０の移設や中継ノード１０の追加により、電界強度レベルが基準値以上になった場合は、表示部１７の点灯を停止する。
【００５３】
ノード１０の点灯は、閾値による自動点灯以外に、管理サーバ２０から特定のノード１０を指定して、そのノード１０の表示部１７を点灯させることで現場の作業者に交換の指示を行えるようにする。
【００５４】
設置時において電界強度が低下しているノード１０を点灯させることで、利用者がノード１０の設置場所を変更したり、中継用のノード１０を新たに追加すべき対象となるノード１０の存在を簡単に把握できる。
【００５５】
管理サーバ２０は、ノード１０の表示部１７への点灯／非点灯の指示を一括で出せるために、ノード１０に点灯スイッチを別途付けている場合に比べて点灯／非点灯の設定が容易である。
【００５６】
ノード１０の表示部１７の点灯パターンや電界強度の判定パターンなどは管理サーバ２０から一括で配布できるため、お客様の環境に合せたノード設定を容易に行うことができる。既存のノード１０に対して、外付けで電界強度を示すための表示部１７を取り付けることで、ノード１０の設置が容易である。本発明のノードシステムの実施例では、センサネットワークの導入やセンサネットワークの管理サービスの適用が可能である。
【００５７】
本発明の実施例では、アドホック型のネットワークを構築するためのノードシステムは、点灯可能な表示部１７を有し、相互通信可能な複数のノード１０と、各ノード１０で測定したデータを、複数のノード１０とゲートウェイ１５を経由して送信することで保存する管理サーバ２０と、を備える。これにより、設置するノードの電界強度を目視で直感的に把握することができるので、技術レベルが低い作業者やお客様でもノードの設置が可能になる。
【００５８】
ノード１０には電界強度の検出部と表示部１７とを備え、ノード１０は電界強度を調査可能な設置モードと、前記表示部を点灯させない通常使用モードとの切り替えが可能であり、ノード１０を通常使用モードから設置モードに切り替えた場合には、ノード１０の表示部１７を電界強度のレベルに応じた色や明滅パターンで点灯させる。これにより、表示部を点灯させる設置モードと、表示部を点灯させない通常使用モードを切り替え可能にすることで、通常使用時のノードの消費電力を抑えることが出来、技術レベルが低い作業者やお客様に対して確実に設置モードでの電界強度のレベルを目視で把握できる。
【００５９】
設置モードの一つのパターンとして、作業者が設置場所を検討して移設しようとしている移設のノードからの信号を受け取っている既設のノードの表示部のみを点灯させるための影響特定モードを備える。これにより、影響特定モードにより、あるノードを動かすことで、どのノードに影響が出るかを把握しやすくなる。
【００６０】
ノードを設置後に、設置モードから通常使用モードに切り替えるが、設置時の各前記ノードの電界強度から閾値を決定して、ノードもしくは管理サーバに記録し、使用中にノードの電界強度が前記閾値よりも一定期間継続して下回った場合には、ノードの設置場所や環境に変化があったと判断して、そのノードもしくは周囲のノードを点灯させて、利用者に警告する。これにより、ノードの設置場所や環境の変化に対応して、適切にノードの設置を行うことができる。
【００６１】
ノード１０の表示部１７の点灯は、閾値による自動点灯以外に、管理サーバ２０から特定のノード１０を指定して点灯させることで、現場の作業者にノードの交換の指示が行える。これにより、ノードの交換管理が目視で確認しながら容易に行える。電界強度を示す際に、電界強度レベルに応じて特定の音を出すようにすることで、目視だけでなく聴力によっても確認できる。
【００６２】
本発明は、上記実施例に限定されず、本発明のノードシステムが適用できる関連技術としては、無線ＬＡＮ（ローカルエリアネットワーク）、省電力無線通信、センサネットなどがある。表示部１７は、ＬＥＤ以外の液晶パネルや有機エレクトロルミネッセンスなどを用いることができる。
【図面の簡単な説明】
【００６３】
【図１】実施例のノードシステムの説明図。
【図２】実施例における初期設定の説明図。
【図３】実施例におけるノード設定初期値の説明図。
【図４】実施例における管理サーバに保存されるデータ例の説明図。
【図５】実施例におけるノードに保存されるデータ例の説明図。
【図６】実施例における管理サーバのモード変更の説明図。
【図７】実施例における管理サーバの動作の説明図。
【図８】実施例におけるノードの動作の説明図。
【図９】実施例における影響特定モード時の移設ノードの動作の説明図。
【図１０】実施例における影響特定モード時の既設ノードの動作の説明図。
【図１１】実施例における影響特定モード時の既設ノードの動作の説明図。
【図１２】実施例におけるパケットの例の説明図。
【符号の説明】
【００６４】
１０  ノード
１５  ゲートウェイ
１７  表示部
１８  公衆網
１９  作業者
２０  管理サーバ
【図１】
2008028514.tif 000003
【図２】
2008028514.tif 000004
【図３】
2008028514.tif 000005
【図４】
2008028514.tif 000006
【図５】
2008028514.tif 000007
【図６】
2008028514.tif 000008
【図７】
2008028514.tif 000009
【図８】
2008028514.tif 000010
【図９】
2008028514.tif 000011
【図１０】
2008028514.tif 000012
【図１１】
2008028514.tif 000013
【図１２】
2008028514.tif 000014